(57)【特許請求の範囲】
【請求項１】
反射型液晶表示パネルと、
前記反射型液晶表示パネルの画像表示面に光を供給する光源と、
前記画像表示面から出力された光学画像信号の少なくとも一部を選択的に透過させる偏光板と、
前記偏光板を挟んで前記画像表示面と対向側に配置された透明板と、
を有する電子ビューファインダ装置であって、
前記偏光板と前記透明板との間に１／４位相差板が配置され、
前記透明板の前記画像表示面と対向する側の表面は、前記画像表示面に向かって突出する曲面を有する凸形状を成す、
ことを特徴とする電子ビューファインダ装置。
【請求項２】
反射型液晶表示パネルと、
前記反射型液晶表示パネルの画像表示面に光を供給する光源と、
前記画像表示面から出力された光学画像信号の少なくとも一部を選択的に透過させる偏光板と、
前記偏光板を挟んで前記画像表示面と対向側に配置された透明板と、
を有する電子ビューファインダ装置であって、
前記偏光板と前記透明板との間に１／４位相差板が配置され、
前記偏光板、前記１／４位相差板、及び前記透明板を収容するファインダ筐体の内面に、光の透過軸が前記偏光板の光の透過軸と平行となるように吸収型偏光板が配置され、
前記ファインダ筐体の内面に配置された前記吸収型偏光板は、前記偏光板と前記１／４位相差板との間の空間に面する前記ファインダ筐体の内面を覆うように配置されている、
ことを特徴とする電子ビューファインダ装置。
【発明の詳細な説明】
【技術分野】
【０００１】
本発明は、接眼部に透明板を備える電子ビューファインダ装置に関する。
【背景技術】
【０００２】
小型高精細化が進んだ液晶表示パネルは、通称マイクロディスプレイと呼ばれ、例えば、第１の基板と第２の基板と一部に注入口を有する外周シール部を有し、第１の基板と第２の基板と外周シール部とにより閉じられた空間に注入口を介して液晶を注入した後、注入口を封口材により封止することで構成されている。特に近年では、小型高細化に伴い、一方の基板に集積回路を設け、さらに、画素電極を反射画素電極としたＬＣＯＳ（Ｌｉｑｕｉｄ  Ｃｒｙｓｔａｌ  Ｏｎ  Ｓｉｌｉｃｏｎ）型のマイクロディスプレイが用いられている。このようなマイクロディスプレイを用いた電子ビューファインダ装置には、画像を拡大するためのレンズが設けられ、さらに、電子ビューファインダ装置内部へのゴミの侵入等を防止するための透明板が設けられている。
【０００３】
特許文献１には、反射型液晶表示装置を利用した電子ビューファインダ装置が開示されている。図１３は、特許文献１に記載の従来の電子ビューファインダ装置を示す断面図である。この電子ビューファンダ装置は、反射型液晶表示装置１０と、反射型液晶表示装置１０から出力された光束（画像）を観察者の瞳に導く第１のレンズ４３と、第１のレンズ４３と外界との間に配置された透明板４９と、それらを保持するＥＶＦ筐体４１とを有している。
【０００４】
反射型液晶表示装置１０は、ＬＥＤ光源３２と、導光部３３と、反射型偏光板３６と、反射型液晶パネル１８と、外部回路基板２１とを有している。ＬＥＤ光源３２から出射された自然光は、導光部３３で拡散されると共に一方の直線偏光へと変換され、反射型偏光板３６に入射する。反射型偏光板３６に入射した直線偏光は、反射型偏光板３６で反射されて反射型液晶パネル１８に入射する（光源の光線５９）。反射型液晶パネル１８に入射した直線偏光は、反射型液晶パネル１８によりその一部が光変調を受けた光学画像信号となって反射され、反射型偏光板３６に入射する。反射型偏光板３６に入射した光は、反射型偏光板３６を透過する成分とそうでない成分とに分離され、反射型偏光板３６を透過する成分が第１の表示光線５１として反射型液晶表示装置１０から出力される。反射型液晶表示装置１０から出力された第１の表示光線５１は、第１のレンズ４３を通過して透明板４９に入射する。透明板４９では、入射した光の大部分が透明板４９を透過して観察者の瞳に入射し、残りの一部が透明板４９の表面で第１の反射光線５６として反射型液晶表示装置１０側へ反射される。
【先行技術文献】
【特許文献】
【０００５】
【特許文献１】特開２００３−２０４４５５号公報
【発明の概要】
【発明が解決しようとする課題】
【０００６】
従来の構造の場合、反射型液晶パネル１８から出力されて透過板４９に入射した光（第１の表示光線５１）は、透過板４９の表面でその一部が反射され、反射された光（第１の反射光線５６）が反射型液晶パネル１８に入射する可能性がある。具体的には、まず、透明板４９の表面で反射された光（第１の反射光線５６）は、第１のレンズ４３を通過して反射型偏光板３６に入射する。反射型偏光板３６に入射した光は、反射型偏光板３６を透過する偏光軸を持つ直線偏光であるため、そのまま反射型偏光板３６を透過し、反射型液晶パネル１８に入射する。反射型液晶パネル１８に入射した光は、液晶に電圧が与えられている場合は、そのままの偏光軸を維持した状態で反射され、反射された光は、第２の表示光線５２として反射型偏光板３６を透過し、第１のレンズ４３を通過して透明板４９に入射する。透明板４９に入射した光の一部は、透明板４９を透過して観察者の瞳に入射し、ゴースト若しくはフレアとなって現れ、表示品質を低下させる。
【０００７】
本発明は、以上の問題を解決するためになされたもので、表示品質の良好な電子ビューファインダ装置を提供することを目的とする。
【課題を解決するための手段】
【０００８】
反射型液晶表示パネルと、前記反射型液晶表示パネルの画像表示面に光を供給する光源と、前記画像表示面から出力された光学画像信号の少なくとも一部を選択的に透過させる偏光板と、前記偏光板を挟んで前記画像表示面と対向側に配置された透明板と、を有する電子ビューファインダ装置であって、前記偏光板と前記透明板との間に１／４位相差板が配置され、前記透明板の前記画像表示面と対向する側の表面は、前記画像表示面に向かって突出する曲面を有する凸形状を成す、電子ビューファインダ装置とする。
【００２２】
反射型液晶表示パネルと、前記反射型液晶表示パネルの画像表示面に光を供給する光源と、前記画像表示面から出力された光学画像信号の少なくとも一部を選択的に透過させる偏光板と、前記偏光板を挟んで前記画像表示面と対向側に配置された透明板と、を有する電子ビューファインダ装置であって、前記偏光板と前記透明板との間に１／４位相差板が配置され、前記偏光板、前記１／４位相差板、及び前記透明板を収容するファインダ筐体の内面に、光の透過軸が前記偏光板の光の透過軸と平行となるように吸収型偏光板が配置され、前記ファインダ筐体の内面に配置された前記吸収型偏光板は、前記偏光板と前記１／４位相差板との間の空間に面する前記ファインダ筐体の内面を覆うように配置されている、電子ビューファインダ装置とする。
【図面の簡単な説明】
【００２７】
【図１】本発明の第１の実施形態における電子ビューファインダ装置の断面図である。
【図２】本発明の第２の実施形態における電子ビューファインダ装置の断面図である。
【図３】本発明の第３の実施形態における電子ビューファインダ装置の断面図である。
【図４】本発明の第４の実施形態における電子ビューファインダ装置の断面図である。
【図５】本発明の第５の実施形態における電子ビューファインダ装置の断面図である。
【図６】本発明の第６の実施形態における電子ビューファインダ装置の断面図である。
【図７】本発明の第７の実施形態における電子ビューファインダ装置の断面図である。
【図８】本発明の第８の実施形態における電子ビューファインダ装置の断面図である。
【図９】本発明の第９の実施形態における電子ビューファインダ装置の断面図である。
【図１０】本発明の第１０の実施形態における電子ビューファインダ装置の断面図である。
【図１１】本発明の電子ビューファインダ装置に用いられる反射型液晶表示装置を示す平面図である。
【図１２】本発明の電子ビューファインダ装置に用いられる反射型液晶表示装置のＡ−Ａ線における断面である。
【図１３】特許文献１に記載の従来の電子ビューファインダ装置を示す断面図である。
【発明を実施するための形態】
【実施例１】
【００２８】
図１は、本発明の第１の実施形態における電子ビューファインダ装置の断面図である。図１１は、本発明の電子ビューファインダ装置に用いられる反射型液晶表示装置の平面図である。図１２は、本発明の電子ビューファインダ装置に用いられる反射型液晶表示装置のＡ−Ａ線における断面図である。以下、図１と図１１と図１２とを用いて第１の実施形態を説明する。
【００２９】
反射型液晶表示装置６０に使用される反射型液晶表示パネル１８は、例えば、第１の基板１として強誘電性液晶１３に所定の電圧を印加するための半導体回路が形成されたシリコン基板を用いて、その第１の基板１に所定の間隙を設けてシール材１１により第２の基板６を接着し、シール材１１の一部に設けた液晶注入口から間隙内に強誘電性液晶１３を注入した後、液晶注入口を封口材１５により封止してなるＬＣＯＳ（Ｌｉｑｕｉｄ  Ｃｒｙｓｔａｌ  Ｏｎ  Ｓｉｌｉｃｏｎ）構造を有する液晶表示パネルである。
【００３０】
反射型液晶表示パネル１８は、外部回路基板２１上に両面接着テープ２２を用いて固定されている。反射型液晶表示パネル１８は、超音波ワイヤボンディング法により形成されたアルミニウム細線からなる導通ワイヤ２５を介して外部回路基板２１と電気的に接続されており、導通ワイヤ２５は、ワイヤ保護樹脂２６により保護されている。第２の基板６の表面に形成された透明電極（図示せず）と外部回路基板２１とは、導電性接着材からなる上下導通部材１６を介して電気的に接続されている。反射型液晶表示パネル１８は、フレキシブルプリント基板（ＦＰＣ）からなる外部接続部材２３を介して外部の回路（図示せず）と電気的に接続されている。
【００３１】
反射型液晶表示装置は、照明系として、光源基板３１上に実装された赤と青と緑の３色（ＲＧＢ）のＬＥＤ光源３２と、ＬＥＤ光源３２から出射された光を反射型液晶表示パネル１８側へ導くための導光体あるいは空洞からなる導光部３３と、導光部３３から出射された光を拡散するための光拡散部３４と、光拡散部３４から出射された光を直線偏光化するための補助偏光板３９とを有している。
【００３２】
また、反射型液晶表示装置は、補助偏光板３９から出射した光を反射型液晶表示パネル１８の表示領域２８へ向けて反射する複合偏光板３８を有している。複合偏光板３８は、反射型液晶表示パネル１８と対向する側に反射型偏光板３６、その反対側に光の透過軸が反射型偏光板３６と互いに平行となるように吸収型偏光板３７を積層した湾曲形状を有するものが採用される。複合偏光板３８は、その光の透過軸が補助偏光板３９の光の透過軸と直交するように配置されている。複合偏光板３８、ＬＥＤ光源３２、導光部３３、光拡散部３４、及び補助偏光板３９は、ディスプレイ筐体３５に保持されている。吸収型偏光板３７は、反射型偏光板３６の表面に密着しているのが好ましいが、反射型偏光板３６と離間していても良く、また、省略されていても良い。複合偏光板３９は、湾曲形状を有するものに替えて、例えば、平板状のものを反射型液晶表示パネル１８の画像表示面に対して傾けて配置するようにしても良い。
【００３３】
第１の実施形態の電子ビューファインダ装置（Ｅｌｅｃｔｒｏｎｉｃ  Ｖｉｅｗ  Ｆｉｎｄｅｒ：ＥＶＦ）では、ＥＶＦ筐体４１に、上述の反射型液晶表示装置と、第１のレンズ４３と、第２のレンズ４４と、１／４位相差板４６と、透明板４９とが組み込まれている。第２のレンズ４４は、電子ビューファインダ装置を使用する人の視度に合わせ、その位置を光軸方向（図中点線で示す位置）へ移動させて視度調整を行うことができるように構成されている。
【００３４】
１／４位相差板４６は、そこを通過する光に１／４波長の位相差を与えるものであるが、そこを通過する光に視感度の高い緑色の波長帯域の光が含まれる場合には、その光の波長の１／４波長の位相差を与えるものを使用するのが好ましい。
【００３５】
反射型液晶表示装置から出射して透明板４９に入射した第１の表示光線５１は、ほとんどが透明板４９を透過して電子ビューファインダ装置を使用する観察者の方向に出射するが、残りの一部が透明板４９の表面で反対側へ折り返されるように反射され、第１の反射光線５６として複合偏光板３８の方向に戻ってくる。従来の構造では、図１３に示すように、第１の反射光線５６は、複合偏光板３８を透過して反射型液晶表示装置１０の内部に入射し、反射型液晶表示パネル１８の表面や反射電極により反射されて複合偏光板３８を再度透過し、不要な光（光ノイズ）である第２の表示光線５２として観察者側に出射してくるが、本実施形態では、反射型液晶表示装置から出射した第１の表示光線５１は、透明板４９のレンズ側に配置された１／４位相差板４６を通過することにより、直線偏光から楕円偏光となり、さらに透明板４９の表面で反射された光は、１／４位相差板４６を再度通過することにより、偏光軸が第１の表示光線５１とは直交する直線偏光である第１の反射光線５６となるため、複合偏光板３８の吸収型偏光板３７に吸収される。また、仮に第１の反射光線５６が吸収型偏光板３７の表面で僅かに反射されたとしても、その反射された光（第２の表示光線５２）は、複合偏光板３６の曲面により、ＥＶＦ筐体４１の内面側に反射されるため、透明板４９側へ出射されることがない。以上のことから、本実施形態では、ゴーストやフレアの発生が抑えられ、表示品質が改善される。
【実施例２】
【００３６】
図２は、本発明の第２の実施形態における電子ビューファインダ装置の断面図である。第２の実施形態の特徴は、反射型液晶表示パネル１８と第１のレンズ４３との間に、薄型の照明光学系として、導光部材３０を用いた照明光学系を有することである。この照明光学系は、ＬＥＤ光源３２と、導光部３３と、光パイプ４０と、補助偏光板３９と、透過型ホログラム導光板からなる導光部材３０と、平板状の吸収型偏光板３７とで構成されている。その他の構成は、第１の実施形態と同様である。
【００３７】
図２に示すように、ＬＥＤ光源３２から出射した光は、導光部３３により約９０度進行方向を変え、光パイプ４０により導光された後、補助偏光板３９により直線偏光となり、導光部材３０により導光されて反射型液晶表示パネル１８の表示領域２８に入射する。反射型液晶表示パネル１８から出力された光学画像信号は、導光部材３０と吸収型偏光板３７を通過して第１の表示光線５１となり、第１のレンズ４３、第２のレンズ４４、１／４位相差板４６、透明板４９を通り、電子ビューファインダ装置を使用する観察者側に出射する。
【００３８】
この時、第１の表示光線５１の一部は、透明板４９の表面で反対側へ折り返されるように反射されて第１の反射光線５６となり、仮に従来の構造であれば、図１３に示すように、そのまま反射型偏光板３６を通過して反射型液晶表示装置１０の内部に入射し、光ノイズである第２の表示光線５２となって再び透明板４９側に出射されるが、本実施形態では、透明板４９のレンズ側に１／４位相差板４６が設けられているため、反射型液晶表示装置から出射した第１の表示光線５１は、１／４位相差板４６を通過することにより、直線偏光から楕円偏光となり、さらに透明板４９の表面で反射された第１の表示光線５１は、１／４位相差板４６を再度通過することにより、偏光軸が第１の表示光線５１とは直交する直線偏光である第１の反射光線５６となり、吸収型偏光板３７に吸収される。本実施形態では、反射型液晶表示パネル１８と吸収型偏光板３７と透明板４９とが、各々の光学面（光軸と交差する表面）が互いに平行となるように配置されていることから、それら光学面での光の反射が起こり難くなるため、光ノイズの発生を効果的に防止することができる。加えて、導光部材３０の光学面もそれらの光学面と互いに平行となるように配置すれば、より効果的である。
【００３９】
また、導光部３０は、透過型ホログラム構造を有する透過型ホログラム導光板であることから、透明板４９からの反射光（第２の表示光線５２）は、反射型液晶表示パネル１８の光が出射した画素とは異なる場所に入射するため、仮に透明板４９からの第１の反射光線５６が吸収型偏光板３７に全て吸収されずに一部が透過したとしても、その光が光ノイズとして透明板４９側に出射されるのを防止することができる。
【実施例３】
【００４０】
図３は、本発明の第３の実施形態における電子ビューファインダ装置の断面図である。第３の実施形態の特徴は、透明板４９が反射型液晶表示パネル１８の画像表示面に対して傾けて配置されていることである。その他の構成は、第２のレンズ４４が省略されていることを除き、第１の実施形態と同様である。
【００４１】
図３に示すように、反射型液晶表示装置から出射した第１の表示光線５１は、第１のレンズ４３を通過した後、１／４位相差板４６を通過することにより、直線偏光から楕円偏光となり、傾斜した透明板４９に入射する。透明板４９に入射した第１の表示光線５１の一部は、透明板４９の傾きにより、第１の表示光線５１の光軸から離れる方向へ折り返すように反射された後、１／４位相差板４６を再度通過することにより偏光軸が第１の表示光線５１とは直交する直線偏光である第１の反射光線５６となり、第１のレンズ４３で屈折した後、複合偏光板３８に入射するが、第１の反射光線５６は、複合偏光板３８の吸収型偏光板３７に吸収されため、光ノイズとして透明板４９側へ出射することはない。
【００４２】
また、反射型液晶表示装置から出射した第１の表示構成５１とは別の経路を辿る第３の表示光線５４は、第１のレンズ４３で屈折した後、１／４位相差板４６を通過することにより、直線偏光から楕円偏光となり、傾斜した透明板４９に入射する。透明板４９に入射した第３の表示光線５４の一部は、透明板４９の傾きにより、第３の表示光線５４の光軸から離れる方向へ折り返すように反射されて第２の反射光線５７となるが、第２の反射光線５７は、１／４位相差板４６を通過する前後の段階でＥＶＦ筐体４１の内面に入射して吸収される。ここで、仮に第２の反射光線５７がＥＶＦ筐体４１の内面で複合偏光板３８側に反射されたとしても、１／４位相差板４６を通過した第２の反射光線５７は、偏光軸が第３の表示光線５４とは直交する直線偏光であるため、複合偏光板３８の吸収型偏光板３７に吸収される。尚、本実施形態では、第１のレンズ４３のみを使用しているが、複数枚のレンズを使用することも可能である。また、透明板４９を傾ける方向は、反射型液晶表示パネル１８の画像表示面に対して任意の方向を選択することができ、例えば、複合偏光板３８が反射型液晶表示パネル１８の画像表示面に対して傾斜する方向と同じ方向と、それとは反対側の方向の、いずれかを選択することができる。
【実施例４】
【００４３】
図４は、本発明の第４の実施形態における電子ビューファインダ装置の断面図である。第４の実施形態の特徴は、反射型偏光板３６と吸収型偏光板３７を積層した複合偏光板３８の代わりに、反射型偏光板３６と吸収型偏光板３７と反射防止層６１を積層した複合偏光板６２を用いていることである。その他の構成は、第２のレンズ４４が省略されていることを除き、第１の実施形態と同様である。
【００４４】
図４に示すように、反射型液晶表示装置から出射した第１の表示光線５１は、第１のレンズ４３を通過した後、１／４位相差板４６を通過することにより、直線偏光から楕円偏光となり、透明板４９に入射する。透明板４９に入射した第１の表示光線５１の一部は、透明板４９の表面で反対側へ折り返されるように反射され、１／４位相差板４６を再度通過することにより、偏光軸が第１の表示光線５１とは直交する直線偏光である第１の反射光線５６となり、複合偏光板６２の吸収型偏光板３７に入射して吸収される。ここで、吸収型偏光板３７の表面には反射防止層６１が設けられているため、吸収型偏光板３７の表面と比較して表面での光の反射は抑えられ、仮に第１の反射光線５６が反射防止層６１の表面で僅かに反射されたとしても、その反射された光（第２の表示光線５２）は、ＥＶＦ筐体４１の内面に入射して吸収される。このように本実施形態では、複合偏光板６２の表層に反射防止層６１が設けられているため、複合偏光板６２の表面における第２の表示光線５２の発生を効果的に抑えることができる。
【実施例５】
【００４５】
図５は、本発明の第５の実施形態における電子ビューファインダ装置の断面図である。第５の実施形態の特徴は、透明板４９の表面に１／４位相差板４６を密着させて配置したことである。その他の構成は、第２のレンズ４４が省略されていることを除き、第１の実施形態と同様である。
【００４６】
図５に示すように、反射型液晶表示装置から出射した第１の表示光線５１は、第１のレンズ４３を通過した後、１／４位相差板４６を通過することにより、直線偏光から楕円偏光となり、透明板４９に入射する。透明板４９に入射した第１の表示光線５１の一部は、透明板４９と１／４位相差板４６との界面で僅かに反射するが、反射した第１の反射光線５６は非常に弱く、さらに、１／４位相差板４６を再度通過することにより、偏光軸が第１の表示光線５１とは直交する直線偏光である第１の反射光線５６になるため、複合偏光板３８の吸収型偏光板３７に入射して吸収される。ここで、仮に第１の反射光線５６の一部が吸収型偏光板３７の表面で反射されたとしても、その反射された光（第２の表示光線５２）は、ＥＶＦ筐体４１の内面に入射して吸収されるため、光ノイズとして透明板４９側へ出射することはない。このように本実施形態では、透明板４９の表面に１／４位相差板４６を密着させることで、１／４位相差板４６と透明板４９との間における光の反射を抑えることができるため、結果的に第２の表示光線５２の発生を抑えることができる。
【００４７】
本実施形態において、１／４位相差板４６は、例えば、光に位相差を与える材料を透明板４９の表面に直接塗布したものであっても良いし、粘着層を介して位相差フィルムを透明板４９の表面に貼付したものであっても良い。後者の場合において、粘着層には、透明板４９と位相差フィルムの光学屈折率の中間の材質を選択することができ、また、可視光領域で高透過特性であり、面内において概ね均一な透過特性を有する材質を選択することができる。
【実施例６】
【００４８】
図６は、本発明の第６の実施形態における電子ビューファインダ装置の断面図である。第６の実施形態の特徴は、第１の実施形態における第２のレンズ４４をその光軸方向へ２分割してそれぞれを第１の貼り合せレンズ部６５、
第２の貼り合せレンズ部６６として構成すると共に、第１の貼り合せレンズ部６５と第２の貼り合せレンズ部６６との間に１／４位相差板４６を配置した点である。１／４位相差板４６は、第１の貼り合せレンズ部６５と第２の貼り合せレンズ部６６とにより互いに密着した状態で挟持されてそれらと一体化されている。その他の構成は、第１の実施形態と同様である。
【００４９】
図６に示すように、反射型液晶表示装置から出射した第１の表示光線５１は、第１のレンズ４３と第１の貼り合せレンズ部６５を通過した後、１／４位相差板４６を通過することにより、直線偏光から楕円偏光となり、第２の貼り合せレンズ部６６を通過して透明板４９に入射する。透明板４９に入射した第１の表示光線５１の一部は、透明板４９の表面で反対側へ折り返されるように反射され、第２の貼り合せレンズ部６６を通過した後、１／４位相差板４６を再度通過することにより、偏光軸が第１の表示光線５１とは直交する直線偏光である第１の反射光線５６となり、複合偏光板３８の吸収型偏光板３７に入射して吸収される。ここで、仮に第１の反射光線５６の一部が吸収型偏光板３７の表面で反射されたとしても、その反射された光（第２の表示光線５２）は、ＥＶＦ筐体４１の内面に入射して吸収されるため、光ノイズとして透明板４９側へ出射することはない。
【００５０】
本実施形態では、１／４位相差板４６の表裏面が第１の貼り合せレンズ部６５、第２の貼り合せレンズ部６６と接着しているため、１／４位相差板４６と空気層との界面における光の反射を防止することができる。
【実施例７】
【００５１】
図７は、本発明の第７の実施形態における電子ビューファインダ装置の断面図である。第７の実施形態の特徴は、第２のレンズ４４の表面に１／４位相差板４６と同様の役割を果たす１／４位相差層６７を設けたことである。１／４位相差層６７は、例えば、光に１／４波長の位相差を与える材料を第２のレンズ４４の表面に薄膜状に塗布することにより形成されている。その他の構成は、第１の実施形態と同様である。
【００５２】
図７に示すように、反射型液晶表示装置から出射した第１の表示光線５１は、第１のレンズ４３と第２のレンズ４４を通過した後、１／４位相差層６７を通過することにより、直線偏光から楕円偏光となり、透明板４９に入射する。透明板４９に入射した第１の表示光線５１の一部は、透明板４９の表面で反対側へ折り返されるように反射され、１／４位相差層６７を再度通過することにより、偏光軸が第１の表示光線５１とは直交する直線偏光である第１の反射光線５６となり、複合偏光板３８の吸収型偏光板３７に入射して吸収される。ここで、仮に第１の反射光線５６の一部が吸収型偏光板３７の表面で反射されたとしても、その反射された光（第２の表示光線５２）は、ＥＶＦ筐体４１の内面に入射して吸収されるため、光ノイズとして透明板４９側へ出射することはない。
【００５３】
本実施形態では、第２のレンズ４４と１／４位相差層６７とが互いに密着しているため、第２のレンズ４４と空気層との界面、ならびに１／４位相差層６７と空気層との界面における光の反射を防止することができる。
【実施例８】
【００５４】
図８は、本発明の第８の実施形態における電子ビューファインダ装置の断面図である。第８の実施形態の特徴は、透明板として、第１のレンズ４３と対向する側の表面（内面）が曲面を有する凸形状とされた透明板５０を用いた点である。その他の構成は、第２のレンズ４４が省略されていることを除き、第１の実施形態と同様である。
【００５５】
図８に示すように、反射型液晶表示装置から出射した第１の表示光線５１は、第１のレンズ４３を通過した後、１／４位相差板４６を通過することにより、直線偏光から楕円偏光となり、透明板５０の中央部に入射する。透明板５０の中央部に入射した第１の表示光線５１の一部は、透明板５０の表面で反対側へ折り返されるように反射された後、１／４位相差板４６を再度通過することにより、偏光軸が第１の表示光線５１とは直交する直線偏光である第１の反射光線５６となり、複合偏光板３８の吸収型偏光板３７に入射して吸収される。
【００５６】
また、反射型液晶表示装置から出射した第４の表示光線５５は、第１のレンズ４３を通過した後、１／４位相差板４６を通過することにより、直線偏光から楕円偏光となり、透明板５０の中央部から僅かに離れた曲面に入射する。透明板５０の曲面に入射した第４の表示光線５５の一部は、曲面の傾きにより、第４の表示光線５５の光軸から離れる方向へ折り返されるように反射された後、１／４位相差板４６を再度通過することにより、偏光軸が第４の表示光線５５とは直交する直線偏光である第３の反射光線５８となり、第１のレンズ４３で屈折した後、複合偏光板３８の吸収型偏光板３７に入射して吸収される。ここで、仮に第３の反射光線５８の一部が吸収型偏光板３７の表面で反射されたとしても、その反射された光（第２の表示光線５２）は、ＥＶＦ筐体４１の内面に入射して吸収される。
【００５７】
また、反射型液晶表示装置から出射した第３の表示光線５４は、第１のレンズ４３を通過した後、１／４位相差板４６を通過することにより、直線偏光から楕円偏光となり、透明板５０のＥＶＦ筐体４１に近接する曲面に入射する。透明板５０の曲面に入射した第３の表示光線５４の一部は、曲面の傾きにより、第３の表示光線５４の光軸から離れる方向へ折り返されるように反射されて第２の反射光線５７となり、そのままＥＶＦ筐体４１の内面に入射して吸収される。
【００５８】
以上のように、本実施形態では、表面が曲面を有する凸形状とされた透明板５０を用いているため、透明板５０の中央部以外の領域に入射する表示光線（例えば、第３の表示光線５４、第４の表示光線５５）に起因する光ノイズの発生を効果的に抑えることができる。
【実施例９】
【００５９】
図９は、本発明の第９の実施形態における電子ビューファインダ装置の断面図である。第９の実施形態の特徴は、反射型液晶表示装置をＥＶＦ筐体４１に装着する方向を上述の実施例１〜８における方向から光軸を中心に１８０°回転させたことである。その他の構成は、第２のレンズ４４が省略されていることを除き、第１の実施形態と同様である。尚、反射型液晶表示装置を装着する方向は、光軸を中心に１８０°回転させた方向に限らず、例えば、光軸を中心に９０°回転させた方向などであっても良く、任意の方向が適宜選択可能である。
【００６０】
このように反射型液晶表示装置のＥＶＦ筐体４１に装着する方向を変更しても、本発明の効果を得ることができる。
【実施例１０】
【００６１】
図１０は、本発明の第１０の実施形態における電子ビューファインダ装置の断面図である。第１０の実施形態の特徴は、実施例８と同様に第１のレンズ４３と対向する側の表面が曲面を有する凸形状とされた透明板５０を用い、さらに、ＥＶＦ筐体４１の内面に吸収型偏光板４２を配置した点である。吸収型偏光板４２は、筐体４１の内面のうち、第１のレンズ４３と１／４位相差板４６の外周を取り囲む領域の少なくとも一部を覆うように配置されている。吸収型偏光板４２は、その透過軸が複合偏光板３８の透過軸と平行となるように配置されている。吸収型偏光板４２は、上述の領域以外の領域を覆うように配置されていても良く、複合偏光板３８と１／４位相差板４６との間の空間に面する領域の全てを覆うように配置されているのが好ましい。
【００６２】
図１０に示すように、反射型液晶表示装置から出射した第４の表示光線５５は、第１のレンズ４３と第２のレンズ４４を通過した後、１／４位相差板４６を通過することにより、直線偏光から楕円偏光となり、透明板５０の中央部から僅かに離れた曲面に入射する。透明板５０の曲面に入射した第４の表示光線５５の一部は、曲面の傾きにより、第４の表示光線５５の光軸から離れる方向へ折り返されるように反射された後、１／４位相差板４６を再度通過することにより、偏光軸が第４の表示光線５５とは直交する直線偏光である第３の反射光線５８となり、第２のレンズ４４と第１のレンズ４３で屈折した後、複合偏光板３８の吸収型偏光板３７に入射して吸収される。ここで、仮に第３の反射光線５８の一部が吸収型偏光板３７の表面で反射されたとしても、その反射された光（第２の表示光線５２）は、ＥＶＦ筐体４１の内面に設けられた吸収型偏光板４２に入射して吸収される。
【００６３】
また、反射型液晶表示装置から出射した第３の表示光線５４は、第１のレンズ４３と第２のレンズ４４を通過した後、１／４位相差板４６を通過することにより、直線偏光から楕円偏光となり、透明板５０のＥＶＦ筐体４１に近接する曲面に入射する。透明板５０の曲面に入射した第３の表示光線５４の一部は、曲面の傾きにより、第３の表示光線５４の光軸から離れる方向へ折り返されるように反射されて第２の反射光線５７となり、ＥＶＦ筐体４１の内面に配置された吸収型偏光板４２に入射して吸収される。
【００６４】
本実施形態では、ＥＶＦ筐体４１の内面に吸収型偏光板４２が配置されているため、透明板５０からの反射光を効率良く除去することができる。
【００６５】
以上説明した本発明の実施形態１〜１０は、本発明の趣旨を逸脱しない範囲で、部分的又は選択的に互いに組み合わせて実施することが可能である。
【符号の説明】
【００６６】
１  第１の基板
６  第２の基板
１０  反射型液晶表示装置
１１  シール材
１３  強誘電性液晶
１５  封口材
１６  上下導通部材
１８  反射型液晶表示パネル
２１  外部回路基板
２２  両面接着テープ
２３  外部接続部材（ＦＰＣ）
２５  導通ワイヤ
２６  ワイヤ保護樹脂
２８  表示領域
３１  光源基板
３２  ＬＥＤ光源
３３  導光部
３４  光拡散部
３５  ディスプレイ筐体
３６  反射型偏光板
３７  吸収型偏光板
３８  複合偏光板
３９  補助偏光板
４０  光パイプ
４１  ＥＶＦ筐体
４２  吸収型偏光板
４３  第１のレンズ
４４  第２のレンズ
４６  １／４位相差板
４９  透明板
５０  透明板
５１  第１の表示光線
５２  第２の表示光線
５４  第３の表示光線
５５  第４の表示光線
５６  第１の反射光線
５７  第２の反射光線
５８  第３の反射光線
５９  光源の光線
６０  反射型液晶表示装置
６１  反射防止層
６２  複合偏光板
６５  第１の貼り合せレンズ部
６６  第２の貼り合せレンズ部
６７  １／４位相差層
【図１】
0006296950.tif 000002
【図２】
0006296950.tif 000003
【図３】
0006296950.tif 000004
【図４】
0006296950.tif 000005
【図５】
0006296950.tif 000006
【図６】
0006296950.tif 000007
【図７】
0006296950.tif 000008
【図８】
0006296950.tif 000009
【図９】
0006296950.tif 000010
【図１０】
0006296950.tif 000011
【図１１】
0006296950.tif 000012
【図１２】
0006296950.tif 000013
【図１３】
0006296950.tif 000014